(57)【要約】      （修正有）【課題】冬季及び夏季、職場の事務所などで使用される暖房器具であって、冷えを感じる身体の部位を暖めて業務の効率を向上させることができ、職場に違和感無く受け入れられ、その上、安全性が高く且つ消費電力が少ないパソコンを用いた暖房器具を提供する。【解決手段】ぬいぐるみで形成された暖房器具本体に内蔵された電気抵抗加熱体２に接続されて成るコード３の先端部に、パソコンのＵＳＢ電源に接続可能なＵＳＢプラグ４を設けて暖房器具を構成する。【選択図】図２
0003155005.tif 000002
【実用新案登録請求の範囲】
【請求項１】
ぬいぐるみで形成された暖房器具本体１に内蔵された電気抵抗加熱体２に接続されて成るコード３の先端部に、パソコンのＵＳＢ電源に接続可能なＵＳＢプラグ４を備えたことを特徴とする暖房器具。
【考案の詳細な説明】
【技術分野】
【０００１】  本考案は、冬季及び夏季、職場の事務所などで使用される暖房器具であって、パソコンを使用して、例えば、お腹や腰、足や膝、手や背中などの身体の部位を冷やさないように保温するぬいぐるみの暖房器具に関するものである。
【背景技術】
【０００２】  冬季及び夏季の職場において、特に女子社員は膝から脚部にかけて冷えから防ぐため、職場の壁面に設置されたＡＣ電源に接続して使用されるヒーター内蔵の膝掛けを用いている光景はよく見かけるところである。
また、足部の冷え対策のためにＡＣ電源を用いたスリッパ状の足温器なども使用されている外、加熱及び保温に蓄熱材を用いたものや充電型のものなどさまざまな暖房器具が使用され、冷え対策が講じられていることは知られている。
【先行技術文献】
【特許文献】
【０００３】
【特許文献１】実用新案登録第３０６２０３０号
【特許文献２】実用新案公開平０６−００３３１９号
【考案の開示】
【考案が解決しようとする課題】
【０００４】  然しながら、これらの暖房器具はＡＣ電源によってなされるものであるところから、職場から退社するときスイッチを切れ忘れた場合は、翌日の出社まで電源が入ったそのままの状態であり、その上、通常職場は交流１００Ｖ用のＡＣ電源であることから、電力の消費も大きく非経済的でも有った。【０００５】  そこで本考案では、ＡＣ電源に接続して使用する従来の暖房器具から発想を替え、特に冷え対策が求められる女子社員に好感を持って使用され且つ、電力消費を少なくして経済的にするとともに、安全性が高くその上、消し忘れを無くす暖房器具を提供しようとするものである。
【課題を解決するための手段】
【０００６】  上記目的を達成するため本考案の暖房器具は、以下の手段で課題を解決する手段としている。即ち、ぬいぐるみで形成された暖房器具本体１に内蔵された電気抵抗加熱体２に接続されて成るコード３の先端部に、パソコンのＵＳＢ電源に接続可能なＵＳＢプラグ４を備えたことを特徴とする暖房器具である。【０００７】  本考案に係る暖房器具は以上のように構成されたものであって、暖房器具本体に内蔵された電気抵抗加熱体に接続されたコード先端のＵＳＢプラグを、常にパソコンのＵＳＢ電源に接続しておき、パソコンの立ち上げと同時にＵＳＢ電源によって暖房器具本体が加熱されその役目を果たす事となる。また、退社時にパソコンの電源を落とせば、それに伴って暖房器具はＯＦＦ状態となり消熱される。
【考案の効果】
【０００８】  本考案によれば、通常のＡＣ電源に接続して使用される数々の従来の暖房器具のように消し忘れが防止でき、以って安全性の向上を図る事ができる。その上職場の電力消費を押さえ経済的な暖房器具となる。【０００９】  つまり、暖房器具本体に内蔵された電気抵抗加熱体に接続されたコード先端に、パソコンのＵＳＢ電源に接続可能なＵＳＢプラグを備えており、従って、常時ＵＳＢプラグをパソコンのＵＳＢ電源に接続しておけば、始業時にパソコンの立ち上げと同時にＵＳＢ電源もＯＮとなり、暖房器具本体が加熱される。また、退社時にパソコンの電源を落とすと同時にＵＳＢ電源もまたＯＦＦとなるため、暖房器具本体そのものが消熱される。【００１０】  その上、ＵＳＢ電源は電圧が低いため、本考案が求める小型なキャラクターのぬいぐるみのような形のものから、膝掛けなどの比較的大判の保温器のようなものまで、それ自体の消費電力は少なくて済むばかりでなく、安全性の高いものとなっている。【００１１】  更に、本考案は暖房器具としての機能をぬいぐるみに内蔵して形成されたものなので、身体の表に出ていても職場の雰囲気に障害になることが無いばかりでなく、むしろ若い女子社員には好感を持って使用される。
【考案を実施するための最良の形態】
【００１２】  以下、図面に基づき本考案を実施するための最良の一形態を説明すると、本考案の暖房器具は主要な四つの要素から構成され、第一の要素は、符号１の冬季及び夏季におけるパソコン使用時に身体の腰部や肩、膝やお腹部などの部位に当てて該部を保温するための暖房器具本体となるぬいぐるみで、キャラクターぬいぐるみが採用される場合が多い。【００１３】  このぬいぐるみの暖房器具本体１には、第二の要素の、例えばペットフイルムにアルミ合金プリントされた電気抵抗線５を配設しで形成された電気抵抗加熱体２が内蔵されていて、この電気抵抗加熱体２に少なくとも５０ｃｍ以上の適宜な長さを呈する第三の要素のコード３が接続されていて、該コード３の先端部に第四の要素のパソコンのＵＳＢ電源に接続可能なＵＳＢプラグ４が備えられている。【００１４】  これによりパソコンを立ち上げることで、ＵＳＢ電源により電気抵抗加熱体２の電気抵抗線５が通電され、ＵＳＢ電源の低電圧でも効率よく熱を発生可能とした電気抵抗加熱体２が加温した状態となり、これらが内蔵されているぬいぐるみが暖められ暖房器具としての役目を果たす事となる。【００１５】  此処で説明の該電気抵抗加熱体２そのものは、キャラクターのぬいぐるみに内蔵されて実施されているが、例えば、従来公知のスリッパ形の足乗せ暖房器具に両面テープなどで貼付けて使用されたり、或いは、別体（図面省略）の膝掛けや肘部パットに縫着され使用されても差し支え無い。更に本考案の他の形態としては、身体の背中部分を保温するため職場の椅子の背当て部分に取り付けられて背当て保温器として使用されることもある。
尚、該電気抵抗加熱体２に自己温度調節可能な面状を呈する発熱素子を使用する方法も選択肢の一つでもある。
【実施例】
【００１６】    次に本考案の実施例につき説明すると、本考案の暖房器具は主要な四つの要素から構成されていて、第一の要素は腰部やお腹部などの身体の冷え部位に当てて該部を保温するための符号１で示された暖房器具本体で、該体は後記の電気抵抗加熱体２が内蔵されるぬいぐるみでキャラクター商品が採用される場合が多い。【００１７】  第二の要素は符号２で示されている電気抵抗加熱体で、該加熱体は例えばペットフイルムにアルミ合金プリントされた電気抵抗加熱体２が内蔵され電気抵抗線５を配設して形成されたものである。【００１８】  第三の要素は符号３で示された前記第二の要素の電気抵抗加熱体２に取付けられた、少なくとも５０ｃｍ以上の適宜な長さを有するコード３で、第四の要素は前記第三の要素のコード３の先端部に備えられるプラグ４で、このプラグ４はパソコンのＵＳＢ電源に接続可能なＵＳＢプラグである。
【産業上の利用可能性】
【００１９】  本考案の暖房器具は、ぬいぐるみで形成された暖房器具本体と、このぬいぐるみに内蔵された電気抵抗加熱体２と、該電気抵抗加熱体２に接続されたコード３と、このコード３の先端部にパソコンのＵＳＢ電源に接続可能なＵＳＢプラグ４を備えて構成されたものなので、このＵＳＢプラグをパソコンのＵＳＢ電源に常時接続しておけば、朝出勤してパソコンを立ち上げればＵＳＢ電源が同時にＯＮ状態となることによって、暖房器具本体の電気抵抗加熱体が通電状態となって過熱される。これにより、冷えを感じる身体の部位を温めながらパソコン操作を含めた事務の業務を進めることができる。【００２０】  一方、退社時にパソコンの電源を落とせば、同時にＵＳＢ電源もＯＦＦとなるため暖房器具本体の電気抵抗加熱体も非通電状態となり自動的に消熱されるので、従来品のような暖房器具の消し忘れが防止でき安全性が高く且つ電力の消費も少なくて済み経済的でもある。その上、ぬいぐるみの暖房器具なので軽量で使い勝手も良く、職場に違和感も無く溶け込み大いに女子社員に好感を持って受け入れられる他、且つ此れと言って製造上問題となる点も無いことから産業上の利用可能性は頗る高い。
【図面の簡単な説明】
【００２１】
【図１】本考案の暖房器具の説明図である。
【図２】本考案の暖房器具を構成する要素を説明する図である。
【符号の説明】
【００２２】１暖房器具本体      ２電気抵抗加熱体      ３コード      ４ＵＳＢ（ユニバーサルシリアルバス）プラグ      ５電気抵抗線
【図１】
0003155005.tif 000003
【図２】
0003155005.tif 000004
【手続補正書】
【提出日】平成21年8月4日(2009.8.4)
【手続補正１】
【補正対象書類名】図面
【補正対象項目名】図１
【補正方法】変更
【補正の内容】
【図１】
0003155005.tif 000005